(57)【特許請求の範囲】
【請求項１】
鉛直方向に設置される筒状のポールと、
太陽電池パネルを収容し、かつ鉛直方向に対して傾斜した状態で前記ポールの上部に固定される器具本体と、
前記太陽電池パネルにより発電された電力を蓄える電源装置を収容し、前記器具本体に設けられている蝶番部を支点として前記器具本体に対して回動可能であり、かつ、前記蝶番部とは反対側の端部をねじで前記器具本体の下面に固定することで、前記器具本体の下面に沿って取り付けられるハウジングと、
前記器具本体と前記ハウジングとを連結すると共に、前記ハウジングが前記器具本体の下面に沿って取り付けられている状態では前記ハウジングに収容され、前記ねじが緩められて前記ハウジングが前記蝶番部を支点として回動した状態では、前記器具本体と前記ハウジングとの間の空間に位置して、前記器具本体に対する前記ハウジングの回動角度を保持可能であるリンク機構と、
を備える太陽光発電装置。
【請求項２】
請求項１に記載の太陽光発電装置と、前記太陽光発電装置の前記ポールに設けられる発光部と、を有し、前記電源装置から与えられる電力により前記発光部が点灯する照明器具。
【発明の詳細な説明】
【技術分野】
【０００１】
本発明は、太陽光を取り込んで電力を発生する太陽光発電装置および太陽光発電装置を装備して街路灯や天井灯等に適用される照明器具に関する。
【背景技術】
【０００２】
従来より、支柱上部に設けられた太陽光発電パネルと、太陽光発電パネルから側方に突設された照明灯アームに装備された照明灯とを備えた太陽光発電装置および照明器具が知られている（例えば、特許文献１参照）。
特許文献１は、太陽光発電パネルと照明灯アームとの間に架設された支持アームを備え、支柱と照明灯アームと支持アームの内側に看板が設けられる。
特許文献１は、照明灯が太陽光発電パネルによって発電された電気によって点灯され、太陽光発電パネルは横向き角度または上下角度を角度調節具で調節可能である。
【先行技術文献】
【特許文献】
【０００３】
【特許文献１】特開２００８−２１０７１１号公報（図１、請求項１）
【発明の概要】
【発明が解決しようとする課題】
【０００４】
特許文献１は、商用電源を確保して難い場所でも使用でき、照明できるだけでなく、広告用、案内用、広報用等の看板としても使用できる。
通常、街路灯や天井灯等の高所に取り付けられる太陽光発電装置および照明器具においては、補修交換時に、バケット車の作業台等の狭い足場空間での高所作業を強いることが多く、作業の難易度が良好ではなかった。
【０００５】
また、このような高所に取り付けられる太陽光発電装置および照明器具において、補修交換部品の重量が重い場合は、作業者への身体的負担もあり、作業時の器具落下が懸念される。
そのため、ポール等の上部に取り付けられる太陽光発電装置および照明器具においては、補修交換部品と器具本体との固定に、だるま穴形状の金具のねじ止めを行う等、作業者への不意な荷重負荷を防止している。
【０００６】
ところで、特許文献１と同様に、ポール上部に受光面が上方を向くように傾斜して取り付けられた太陽電池パネルの背面に電源装置を取り付けた太陽光発電装置および照明器具が提案されている。
ところが、このような従来の太陽光発電装置および照明器具は、補修交換作業時に重量の重い電源装置等が作業者の方へ倒れ掛かってくるため、作業者が上方を見上げるような姿勢を強いられる。
従って、このような従来の太陽光発電装置および照明器具は、作業者に対する無理な体勢での作業になるだけでなく、作業者の安全性を確保できない。
【０００７】
本発明は、前述した課題を解決するためになされたものであり、その目的は、補修交換時の作業性を良好にでき、補修交換時に安全で容易な作業を行える太陽光発電装置および照明器具を提供することにある。
【課題を解決するための手段】
【０００８】
本発明に係る太陽光発電装置は、鉛直方向に設置される筒状のポールと、太陽電池パネルを収容し、かつ鉛直方向に対して傾斜した状態で前記ポールの上部に固定される器具本体と、前記太陽電池パネルにより発電された電力を蓄える電源装置を収容し、前記器具本体に設けられている蝶番部を支点として前記器具本体に対して回動可能であり、かつ、前記蝶番部とは反対側の端部をねじで前記器具本体の下面に固定することで、前記器具本体の下面に沿って取り付けられるハウジングと、前記器具本体と前記ハウジングとを連結すると共に、前記ハウジングが前記器具本体の下面に沿って取り付けられている状態では前記ハウジングに収容され、前記ねじが緩められて前記ハウジングが前記蝶番部を支点として回動した状態では、前記器具本体と前記ハウジングとの間の空間に位置して、前記器具本体に対する前記ハウジングの回動角度を保持可能であるリンク機構と、を備える。
【００１０】
本発明に係る照明器具は、前記太陽光発電装置と、前記太陽光発電装置の前記ポールに設けられる発光部と、を有し、前記電源装置から与えられる電力により前記発光部が点灯する。
【発明の効果】
【００１１】
本発明に係る太陽光発電装置および照明器具によれば、補修交換時の作業性を良好にでき、補修交換時に安全で容易な作業を行えるという効果を奏する。
【図面の簡単な説明】
【００１２】
【図１】本発明に係る一実施形態の太陽光発電装置を装備する照明器具の正面図
【図２】本発明に係る一実施形態の照明器具の右側面図
【図３】本発明に係る一実施形態の照明器具の器具本体の右側面図
【図４】本発明に係る一実施形態の照明器具におけるリンク部材の側面図
【図５】本発明に係る一実施形態の照明器具において太陽電池パネルに対する電源装置の閉成時のリンク部材の一部破断側面図
【図６】本発明に係る一実施形態の照明器具において太陽電池パネルに対する電源装置の小さく開成したときのリンク部材の一部破断側面図
【図７】本発明に係る一実施形態の照明器具において太陽電池パネルに対する電源装置の大きく開成したときのリンク部材の側面図
【図８】本発明に係る一実施形態の照明器具において太陽電池パネルに対する電源装置の大きく開成したときのリンク部材の一部破断側面図
【図９】本発明に係る一実施形態の照明器具のリンク部材の変形例の側面図
【発明を実施するための形態】
【００１３】
以下、本発明に係る一実施形態の太陽光発電装置および照明器具について図面を参照して説明する。
図１に示すように、本発明に係る一実施形態の照明器具１０は、太陽光発電装置１１と、発光部１２とを備える。
太陽光発電装置１１は、鉛直方向に地面９０上に設置される筒状のポール１３と、ポール１３の上部に設けられたポール受部１４と、ポール受部１４に固定される器具本体１５とを備える。
【００１４】
また、図２に示すように、太陽光発電装置１１は、器具本体１５に収容された太陽電池パネル１６を備える。太陽電池パネル１６は、その受光面１７が太陽に向くように傾斜される。
そして、太陽光発電装置１１は、太陽電池パネル１６により発電された電力を蓄える電源装置１８を備える。電源装置１８は、蓄えた電力を発光部１２に与えることにより、発光部１２を点灯させる。
【００１５】
ポール１３は、例えばアルミニウム製の型材により円筒形状に形成されており、その基部に、地面９０に埋設されるアンカー１９を備えている。
ポール受部１４は、溶接が可能な金属製であって、ポール１３の上端部に取り付けられており、上部に、同じく溶接が可能な金属製の器具本体１５が固定されている。
発光部１２は、ポール１３の上端部寄りにおいて、斜め上方に向けて取り付けられているブラケット２０の下面に固定されている。発光部１２は、例えば不図示の複数のＬＥＤをＬＥＤ基板に実装したＬＥＤユニットであり、地面９０に向けた配光特性を有する。
【００１６】
ポール受部１４は、ポール１３の上端部にねじ２１がねじ込まれることによりポール１３に固定されている。
太陽光発電装置１１は、太陽に向く器具本体１５の前面に太陽電池パネル１６を配置しており、器具本体１５の背面に電源装置１８を配置している。
【００１７】
図３に示すように、ポール受部１４は、ポール１３の上端部に外装される筒部２２に、複数のねじ孔２３を有する。ねじ孔２３には、ポール１３の上端部にねじ込まれるねじ２１が挿通される。
電源装置１８は、ケース形状のハウジング２４に収容されている。このハウジング２４は、傾斜方向上側にヒンジである蝶番部２５が取り付けられており、傾斜方向下側に器具本体１５の背面にねじ込まれるねじ２６が回転自在に保持されている。
そのため、電源装置１８は、ねじ２６を器具本体１５から緩めることにより、蝶番部２５を支点としてハウジング２４とともに太陽電池パネル１６および器具本体１５に対して回動可能である。
【００１８】
図４に示すように、太陽光発電装置１１は、太陽電池パネル１６の下面と電源装置１８における傾斜方向下側との間に四節リンク機構であるリンク部材２７を備えている。
そのため、太陽光発電装置１１は、リンク部材２７により、太陽電池パネル１６に対する電源装置１８の回動角度が保持可能である。
【００１９】
リンク部材２７は、器具本体１５の背面に取り付けられた第１枢支軸２８を介して太陽電池パネル１６の下面に対して回動可能に取り付けられた第１リンク部材２９を備える。
また、リンク部材２７は、電源装置１８のハウジング２４の前面に取り付けられた第２枢支軸３０を介して電源装置１８の前面に対して回動可能に取り付けられ、第１リンク部材２９に連結部３１において回動可能に連結された第２リンク部材３２を備える。
【００２０】
そして、リンク部材２７は、第２リンク部材３２の基端部である第２枢支軸３０に回動可能に取り付けられた第３リンク部材３３を備える。
さらに、リンク部材２７は、第１リンク部材２９の長手方向に沿った所定位置に対して回動可能に取り付けられる連結部３４を有して第３リンク部材３３に連結される第４リンク部材３５を備える。第４リンク部材３５は、中央部に滑止突起３６を有する。
【００２１】
第３リンク部材３３は、連結部３７において第４リンク部材３５に回動可能に連結されている。
リンク部材２７は、第１リンク部材２９に、第１リンク部材２９に対する第４リンク部材３５の連結部３４の連結位置を第１リンク部材２９の長手方向に沿った第１位置Ａ１と第２位置Ａ２と第３位置Ａ３との複数の位置から選択可能な溝部３８を備える。
【００２２】
次に、リンク部材２７の動作について説明する。
図５に示すように、太陽電池パネル１６に対して電源装置１８が閉成されているとき、リンク部材２７は、第４リンク部材３５の連結部３４が溝部３８の第３位置Ａ３に係合されて第１リンク部材２９に連結されている。
次に、図６に示すように、電源装置１８の補修の時期が到来した際に、ねじ２６を器具本体１５から緩めてから、ハウジング２４を器具本体１５に対して開成させる。
【００２３】
このとき、リンク部材２７は、第４リンク部材３５の連結部３４が溝部３８の第２位置Ａ２に係合されて第１リンク部材２９に連結されている。
そのため、図４を参照して、電源装置１８を収容したハウジング２４が、リンク部材２７により小さい角度で開成されて垂直方向に保持されるために、作業者は上方を見上げるような姿勢にならずに、目の前に配置される電源装置１８の補修を行うことになる。
【００２４】
次に、図７に示すように、電源装置１８の交換の時期が到来した際に、ねじ２６を器具本体１５から緩めてから、ハウジング２４を器具本体１５に対して開成させる。
このとき、図８に示すように、第４リンク部材３５の滑止突起３６を上方に向けて摘む等して第４リンク部材３５の連結部３４を溝部３８の第２位置Ａ２から第１位置Ａ１に係合させておく。
【００２５】
そのため、電源装置１８を収容したハウジング２４が、リンク部材２７により大きい角度で開成されて保持されるために、作業者は、ハウジング２４が大きく開成された状態において電源装置１８の交換を行うことになる。
このように、リンク部材２７は、作業者が上方を見上げるような無理な姿勢にならずに、電源装置１８の補修を行う場合と、電源装置１８の交換を行う場合とに対応してハウジング２４の開角度を段階的に調整できる。
【００２６】
次に、本発明に係る一実施形態の太陽光発電装置１１および照明器具１０に適用される変形例のリンク部材４１について説明する。
図９に示すように、リンク部材４１は、第１リンク部材４２と、第２リンク部材４３とから構成される四節リンク機構である。
第１リンク部材４２は、一端部に設けられた連結部４４が器具本体１５の背面において太陽電池パネル１６の背面に沿って形成されたガイド溝４５に移動可能に係合されている。
第１リンク部材４２は、他端部が、電源装置１８のハウジング２４の前面に取り付けられた第１枢支軸４６に回動可能に連結されている。
【００２７】
第２リンク部材４３は、一端部に連結部４７が設けられており、他端部が電源装置１８のハウジング２４の前面において第１枢支軸４６から離れた位置に取り付けられた第２枢支軸４８に回動可能に連結されている。
そして、第１リンク部材４２は、第１リンク部材４２に対する第２リンク部材４３の連結部４７の連結位置を第１リンク部材４２の長手方向に沿った第１位置Ｂ１と第２位置Ｂ２と第３位置Ｂ３との複数の位置から選択可能な溝部４９を備える。
【００２８】
次に、リンク部材４１の動作について説明する。
太陽電池パネル１６に対して電源装置１８が閉成されているとき、リンク部材４１は、第２リンク部材４３の連結部４７が溝部４９の第３位置Ｂ３に係合されて第１リンク部材４２に連結されている。
次に、電源装置１８の補修の時期が到来した際に、ねじ２６を器具本体１５から緩めてから、ハウジング２４を器具本体１５に対して開成させる。
【００２９】
このとき、リンク部材４１は、第２リンク部材４３の連結部４７が溝部４９の第１位置Ｂ１に係合されて第１リンク部材４２に連結されている。
そのため、電源装置１８を収容したハウジング２４が、リンク部材４１により小さい角度で開成されて垂直方向に保持されるために、作業者は上方を見上げるような姿勢にならずに、目の前に配置される電源装置１８の補修を行うことになる。
【００３０】
次に、電源装置１８の交換の時期が到来した際に、ねじ２６を器具本体１５から緩めてから、ハウジング２４を器具本体１５に対して開成させる。
このとき、第２リンク部材４３の滑止突起３６を摘む等して第２リンク部材４３の連結部４７を溝部４９の第１位置Ｂ１から第２位置Ｂ２に係合させておく。
【００３１】
そのため、電源装置１８を収容したハウジング２４が、リンク部材４１により大きい角度で開成されて保持されるために、作業者は、ハウジング２４が大きく開成された状態において電源装置１８の交換を行うことになる。
このように、リンク部材４１は、作業者が上方を見上げるような無理な姿勢にならずに、電源装置１８の補修を行う場合と、電源装置１８の交換を行う場合とに対応してハウジング２４の開角度を段階的に調整できる。
【００３２】
本変形例によれば、リンク部材４１を極めて簡素な構造にでき、電源装置１８の補修を行う場合および交換を行う場合に電源装置１８の開角度を段階的に調整できる。
【００３３】
以上、説明した本発明に係る一実施形態の太陽光発電装置１１によれば、リンク部材２７およびリンク部材４１により、作業者が無理な姿勢にならずに、電源装置１８の補修を行う場合および交換を行う場合に電源装置１８の開角度を段階的に調整できる。
従って、太陽光発電装置１１によれば、補修交換時の作業性を良好にでき、補修交換時に安全で容易な作業を行える。
【００３４】
太陽光発電装置１１によれば、リンク部材２７において第１リンク部材２９に対する第４リンク部材３５の連結位置を、第１リンク部材２９の長手方向に沿った複数の位置から選択できる。
従って、太陽光発電装置１１によれば、電源装置１８の補修を行う場合と、電源装置１８の交換を行う場合とに応じて電源装置１８の開角度を簡単に変更できる。
【００３５】
照明器具１０によれば、太陽光発電装置１１の電源装置１８から与えられた電力により発光部１２を点灯でき、補修交換時の作業性を良好にでき、補修交換時に安全で容易な作業を行える。
【００３６】
なお、本発明の太陽光発電装置および照明器具において器具本体，太陽電池パネル，電源装置，発光部等は、前述した一実施形態に限定されるものでなく、適宜な変形や改良等が可能である。
【符号の説明】
【００３７】
１０  照明器具
１１  太陽光発電装置
１２  発光部
１３  ポール
１４  ポール受部
１６  太陽電池パネル
１７  受光面
１８  電源装置
２５  蝶番部
２７，４１  リンク部材
２９，４２  第１リンク部材
３２，４３  第２リンク部材
３３  第３リンク部材
３５  第４リンク部材
【図１】
0005842150.tif 000002
【図２】
0005842150.tif 000003
【図３】
0005842150.tif 000004
【図４】
0005842150.tif 000005
【図５】
0005842150.tif 000006
【図６】
0005842150.tif 000007
【図７】
0005842150.tif 000008
【図８】
0005842150.tif 000009
【図９】
0005842150.tif 000010